(57)【特許請求の範囲】
【請求項１】
表示された取引画面にしたがって顧客の操作を操作部で受け付けて取引を行う自動取引装置を有する自動取引システムにおいて、
顧客の生体情報と、取引科目を目的別に分類した取引種類を示す情報を含む取引情報とを関連付けて登録しておくデータベースを設け、
自動取引装置の生体情報読取部で読み取った顧客の生体情報に基づいて前記データベースに登録された取引情報を抽出し、その取引情報にしたがって自動取引装置の取引画面を表示するようにし、
前記生体情報に基づいて、前記取引種類を示す情報を抽出し、前記取引種類を示す情報にしたがってその取引種類を構成する取引科目を選択するための取引選択画面の画像情報を生成し、生成された画面情報にしたがって取引画面としての取引選択画面を表示することを特徴とする自動取引システム。
【請求項２】
請求項１の自動取引システムにおいて、
前記取引情報は、それぞれの取引科目を示す情報、および振込取引で入力が必要な振込先情報のいずれか一以上を含むことを特徴とする自動取引システム。
【請求項３】
請求項１または請求項２の自動取引システムにおいて、
読み取る生体情報を選択する顧客の操作を受け付けるとともに取引を進めるために必要な取引情報を予め入力する顧客の操作を受け付ける操作部と、
前記操作部で選択された顧客の生体情報を読み取る生体情報読取部と、
前記生体情報読取部が読み取った生体情報と前記操作部で入力された取引情報とを関連付けて登録することを依頼する取引情報登録手段とを有する自動取引装置を設け、
前記自動取引装置からの依頼により前記生体情報と前記取引情報とを関連付けて前記データベースに記憶させるようにしたことを特徴とする自動取引システム。
【請求項４】
請求項３の自動取引システムにおいて、
前記取引情報登録手段を、前記生体情報読取部が読み取った生体情報、顧客の操作により挿入されたカードからカードリーダ部が読み取った顧客識別情報および前記操作部で入力された取引情報を関連付けて登録することを依頼する手段とし、
前記データベースを、前記自動取引装置からの依頼により前記生体情報、顧客識別情報および取引情報を関連付けて記憶しておくデータベースとし、
前記自動取引装置の生体情報読取部で読み取った顧客の生体情報に基づいて前記データベースから顧客識別情報および取引情報を抽出し、該顧客識別情報に基づいて予め登録された暗証番号による本人認証を行った後、該取引情報にしたがって取引画面を表示するようにしたことを特徴とする自動取引システム。
【請求項５】
請求項１から請求項４のいずれか１項の自動取引システムにおいて、
前記生体情報を、顧客の虹彩、指紋、手指の静脈パターン、声紋、または筆跡としたことを特徴とする自動取引システム。
【請求項６】
表示された取引画面にしたがって顧客の操作を操作部で受け付けて取引を行う自動取引装置において、
生体情報読取部で読み取った顧客の生体情報に基づいて、顧客の生体情報と、取引科目を目的別に分類した取引種類を示す情報を含む取引情報とを関連付けて登録しておくデータベースから抽出された取引情報にしたがって取引画面を表示するようにし、
前記生体情報に基づいて、前記取引種類を示す情報を抽出し、前記取引種類を示す情報にしたがってその取引種類を構成する取引科目を選択するための取引選択画面の画像情報を生成し、生成された画面情報にしたがって取引画面としての取引選択画面を表示することを特徴とする自動取引装置。
【請求項７】
請求項６の自動取引装置において、
前記取引情報は、それぞれの取引科目を示す情報、および振込取引で入力が必要な振込先情報のいずれか一以上を含むことを特徴とする自動取引装置。
【請求項８】
請求項６または請求項７の自動取引装置において、
読み取る生体情報を選択する顧客の操作を受け付けるとともに取引を進めるために必要な取引情報を予め入力する顧客の操作を受け付ける操作部と、
前記操作部で選択された顧客の生体情報を読み取る生体情報読取部と、
前記生体情報読取部が読み取った生体情報と前記操作部で入力された取引情報とを関連付けて登録することを依頼する取引情報登録手段とを設け、
前記生体情報と前記取引情報とを関連付けて前記データベースに記憶させるようにしたことを特徴とする自動取引装置。
【請求項９】
請求項８の自動取引装置において、
前記取引情報登録手段を、前記生体情報読取部が読み取った生体情報、顧客の操作により挿入されたカードからカードリーダ部が読み取った顧客識別情報および前記操作部で入力された取引情報を関連付けてデータベースに登録することを依頼する手段とし、
前記生体情報読取部で読み取った顧客の生体情報に基づいて前記データベースから抽出された顧客識別情報に基づいて予め登録された暗証番号による本人認証を行った後、前記データベースから抽出された取引情報にしたがって取引画面を表示するようにしたことを特徴とする自動取引装置。
【請求項１０】
請求項６から請求項９のいずれか１項の自動取引装置において、
前記生体情報を、顧客の虹彩、指紋、手指の静脈パターン、声紋、または筆跡としたことを特徴とする自動取引装置。
【発明の詳細な説明】
【技術分野】
【０００１】
本発明は、銀行等の金融機関に設置され、顧客の操作を受け付けて現金の引出しや預入れ等の取引を行う自動取引装置を備えた自動取引システムおよびその自動取引装置に関し、特に顧客の指紋や指静脈パターン、虹彩等の生体情報を読み取って取引を行う自動取引システムおよび自動取引装置に関する。
【背景技術】
【０００２】
従来の自動取引システムは、顧客の指毎の指静脈や指紋等の生体情報に０から９までの数値や取引の科目等の取引に必要な入力情報を対応させてその生体情報および入力情報をＩＣカードに予め登録しておき、顧客の操作によりそのＩＣカードの挿入を受け付けるとともに指情報読取装置で読み取った顧客の指毎の生体情報に対応した入力情報に基づいて取引を行うようにし、顧客が指を指情報読取装置にかざすことで自動取引装置における取引を可能にしている（例えば、特許文献１参照）。
【特許文献１】特開２００７−２６０１１号公報（段落「００１９」〜段落「００３０」、図６、図８）
【発明の開示】
【発明が解決しようとする課題】
【０００３】
しかしながら、上述した従来の技術においては、指の生体情報に対応させて取引の科目等を登録するようにしているため、自動取引装置で取扱うことができる取引の科目が増えた場合、１０本の指の生体情報に対応させてすべての取引の科目を登録することができなくなることもあり、顧客の利便性を低下させてしまうという問題がある。
また、資金を他口座に送金する振込取引においては送金先の口座番号など多くの入力情報が必要になるため顧客の入力操作の負担は軽減されず顧客の利便性は必ずしも向上しないという問題がある。
【０００４】
本発明は、このような問題を解決することを課題とする。
【課題を解決するための手段】
【０００５】
そのため、本発明は、表示された取引画面にしたがって顧客の操作を操作部で受け付けて取引を行う自動取引装置を有する自動取引システムにおいて、顧客の生体情報と、取引科目を目的別に分類した取引種類を示す情報を含む取引情報とを関連付けて登録しておくデータベースを設け、自動取引装置の生体情報読取部で読み取った顧客の生体情報に基づいて前記データベースに登録された取引情報を抽出し、その取引情報にしたがって自動取引装置の取引画面を表示するようにし、前記生体情報に基づいて、前記取引種類を示す情報を抽出し、前記取引種類を示す情報にしたがってその取引種類を構成する取引科目を選択するための取引選択画面の画像情報を生成し、生成された画面情報にしたがって取引画面としての取引選択画面を表示することを特徴とする。
【発明の効果】
【０００６】
このようにした本発明は、自動取引装置で取扱うことができる取引の科目が増えた場合であっても所望の取引を行うことができるようになり、また顧客の入力操作の負担を軽減することができるようになり、顧客の利便性を向上させることができるという効果が得られる。
【発明を実施するための最良の形態】
【０００７】
以下、図面を参照して本発明による自動取引システムおよび自動取引装置の実施例を説明する。
【実施例１】
【０００８】
図１は第１の実施例における自動取引システムの構成を示すブロック図、図２は第１の実施例における自動取引装置の構成を示すブロック図である。
図１において、１は自動取引装置であり、銀行等の金融機関の店舗またはコンビニエンスストア等の店舗等に設置されるものである。この自動取引装置１は、専用線等の通信回線２に通信可能に接続され、顧客が金融機関に開設した口座の支店番号、口座科目、口座番号等の口座情報が記録された磁気ストライプやＩＣチップ付きのカード（キャッシュカード）の挿入や顧客の入力操作を受け付けて現金引出し、現金預け入れ取引や振込み取引等の取引を行うものである。なお、自動取引装置１の構成は後述する。
【０００９】
３は認証サーバであり、銀行等の金融機関の事務センタ等に設置され、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部および通信手段である通信部等を備え、通信回線２を介して自動取引装置１等の他の装置と相互に通信可能に接続されているコンピュータである。
【００１０】
４は生体情報ＤＢ（ＤａｔａＢａｓｅ）であり、認証サーバ３の記憶部に備えられたデータベースである。この生体情報ＤＢ４は、顧客を識別するための顧客識別情報（例えば、口座情報）としての顧客ＩＤ、その顧客ＩＤ毎に指の静脈・虹彩・署名等の生体の種類に対応付けた生体情報識別情報としての生体情報ＩＤ、その生体情報ＩＤに対応させて予め記憶させて登録しておく生体情報で構成されたものである。
【００１１】
生体情報ＤＢ４は、例えば図４（ａ）に示すように顧客ＩＤ「１２３４５６７８９」に生体情報ＩＤならびに生体種類「１：右手人差し指の静脈」、「２：虹彩」、「３：署名」が関連付けて記憶され、さらにその生体情報ＩＤに関連付けて予め生体情報読取機で読み取った顧客の生体情報が記憶されている。
したがって、認証サーバ３は顧客ＩＤに基づいて生体情報ＤＢ４を検索して登録された生体情報ＩＤや生体情報を抽出することができ、また顧客の生体情報に基づいて生体情報ＤＢ４を検索して登録された顧客ＩＤや生体情報ＩＤを抽出することができるようになっている。
【００１２】
５は取引制御サーバであり、銀行等の金融機関の事務センタ等に設置され、ＣＰＵ、ＭＰＵ等の演算および制御手段である制御部、磁気ディスク、半導体メモリ等の記憶手段である記憶部および通信手段である通信部等を備え、通信回線２を介して自動取引装置１等の他の装置と相互に通信可能に接続されているコンピュータである。
６は取引制御ＤＢ（ＤａｔａＢａｓｅ）であり、取引制御サーバ５の記憶部に備えられたデータベースである。この取引制御ＤＢ６は、顧客を識別するための顧客識別情報（例えば、口座情報）としての顧客ＩＤ、その顧客ＩＤに対応付けた生体情報識別情報としての生体情報ＩＤ、その生体情報ＩＤに対応させて予め記憶させて登録しておく取引を進めるために必要な情報である取引情報としての取引種類を示す情報で構成されたものである。
【００１３】
ここで、取引種類とは、それぞれの金融取引科目を「預金取引」、「ローン取引」等の目的別の区分に分類したものとする。例えば、図３に示すように取引科目が「お預け入れ」、「お引き出し」、「残高照会」等の預金口座に関連する取引を取引種類「預金取引」、「お借り入れ」、「ご返済」等のローンに関連する取引を取引種類「ローン取引」、「口座振込」、「現金振込」等の振込みに関連する取引を取引種類「振込取引」等の区分に分類する。
【００１４】
取引制御ＤＢ６は、例えば図４（ｂ）に示すように顧客ＩＤ「１２３４５６７８９」の生体情報ＩＤ「１」に取引種類「預金取引」、生体情報ＩＤ「２」に取引種類「振込取引」が記憶されている。なお、生体情報ＩＤ「３」に取引種類は登録されていないことを示している。
したがって、取引制御サーバ５は顧客ＩＤおよび生体情報ＩＤに基づいて取引制御ＤＢ６を検索して登録された取引種類を抽出することができるようになっている。
【００１５】
本実施例では、認証サーバ３に生体情報ＤＢ４、取引制御サーバ５に取引制御ＤＢ６を備えたものとして説明するが、一のサーバに生体情報ＤＢ４および取引制御ＤＢ６を一のデータベースとして備えるように構成してもよく、自動取引装置１に生体情報ＤＢ４および取引制御ＤＢ６を一のデータベースとして備えるように構成してもよい。
また、本実施例では、取引制御ＤＢ６に生体情報ＩＤに対応させて取引種類を登録するようにしたが取引科目を登録するようにしてもよい。
【００１６】
７はホストコンピュータであり、銀行等の金融機関の事務センタ等に設置され、ＣＰＵ、ＭＰＵ等の演算および制御手段である制御部、磁気ディスク、半導体メモリ等の記憶手段である記憶部および通信手段である通信部等を備え、通信回線２を介して自動取引装置１等の他の装置と相互に通信可能に接続されているコンピュータである。
このホストコンピュータ７は、自動取引装置１から受信した顧客の口座番号等の顧客を識別するための顧客識別情報としての口座情報に基づいて図示しない顧客データベースを検索して暗証番号を抽出し、その暗証番号と自動取引装置１から受信した暗証番号とを比較して一致するか否かの照合、すなわち暗証番号による本人認証を行う。
【００１７】
また、ホストコンピュータ７は、自動取引装置１との間で現金引出し、現金預け入れ、振込み等の取引電文の送受信を行い顧客の取引を成立させるか否かを判断するとともにその取引の処理を行う。
次に、自動取引装置１の構成を説明する。
図２において、１１は顧客操作表示部であり、タッチパネル等の操作部および液晶ディスプレイ等の表示部で構成されたものである。この顧客操作表示部１１はＣＲＴディスプレイや液晶ディスプレイ等の表示部上にタッチパネルを配置し顧客が入力操作等を行うものであり、また、取引選択画面、顧客が選択した取引に対して顧客の入力操作等の誘導を行う画面および入力された情報等を表示するものである。
【００１８】
１２はカードリーダ部であり、カード読み取り書込み機構を備えたものである。このカードリーダ部１２は、顧客がカード挿入口に挿入したキャッシュカード（以下、「カード」という。）の磁気ストライプやＩＣチップ等から口座番号等の顧客を識別するための顧客識別情報としての口座情報等を読み取ることができる。口座情報等を読み取ったカードはカード排出口から排出して顧客に返却することができる。
【００１９】
１３は入出金部であり、紙幣入出金機および硬貨入出金機で構成されたものである。この入出金部１３は現金出金取引や現金入金取引に伴う紙幣や硬貨の入出金処理を行う。ここで、入金処理とは顧客が紙幣入出金口に入れた紙幣を紙幣入出金機で計数して金庫に収納し、硬貨入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し紙幣入出金口および硬貨入出金口に搬送して顧客に払い出すことである。
【００２０】
なお、硬貨入出金機を備えない構成であってもよい。
１４は生体情報読取部であり、顧客の指紋、手指の静脈パターンを読み取るための手指スキャンセンサおよび顧客の虹彩等の画像を取得するためのＣＣＤ（Ｃｈａｒｇｅ  Ｃｏｕｐｌｅｄ  Ｄｅｖｉｃｅｓ）を備えたカメラ、顧客の声紋を取得するための音声入力装置等で構成されたものである。この生体情報読取部１４は手指スキャンセンサ、カメラ、音声入力装置等で顧客の虹彩、指紋、手指の静脈パターン、声紋等の各種生体情報を取得し、その生体情報を後述する制御部へ通知する。なお、顧客が行う署名等の筆跡も生体情報とするようにしてもよい。
【００２１】
生体情報読取部１４は取得した虹彩、指紋、または手指の静脈パターン等の生体情報の種類を判定する生体情報判定手段を備え、取得した生体情報の種類を識別する生体識別情報とともにその生体情報を制御部へ通知するものとする。
１５は明細票印字部であり、明細票印字機構、明細票搬送機構等で構成されたものである。この明細票印字部１５は顧客の操作を受け付けて行った取引の内容を印字した明細票を顧客へ発行するものである。
【００２２】
１６は記憶部であり、半導体メモリや磁気ディスク等で構成され情報を記憶し、記憶した情報を読出すことができるものである。この記憶部１６には自動取引装置１全体の動作を制御する制御プログラム（ソフトウェア）、顧客操作表示部１１に表示する画面データおよび顧客が行う取引に必要な情報等を記憶する。
また、記憶部１６はカードリーダ部１２がカードから読み取った口座情報、生体情報読取部１４が読み取った生体情報や生体識別情報、顧客操作表示部１１が入力を受け付けた各種情報を記憶する。
【００２３】
１７は制御部であり、ＣＰＵ、ＭＰＵ等の演算および制御手段等で構成されたものである。この制御部１７は顧客操作表示部１１、カードリーダ部１２、入出金部１３、生体情報読取部１４、明細票印字部１５、記憶部１６、および通信回線２を介して認証サーバ３、取引制御サーバ５、ならびにホストコンピュータ７等との間で通信を行う図示しない通信部を含めて自動取引装置１全体の動作を記憶部１６に格納された制御プログラム（ソフトウェア）に基づいて制御する。
【００２４】
また、制御部１７は生体情報読取部１４から通知された生体情報および生体識別情報を記憶部１６に記憶させる。
本実施例では、顧客が右手人差し指の静脈の生体情報に取引種類としての「預金取引」を登録し、自動取引装置１で「預金取引」の「預け入れ」等の取引を行うものとして上述した構成の作用について説明する。
【００２５】
まず、取引種類を登録する処理を図５の第１の実施例における取引種類の登録処理を示すフローチャートの図中Ｓで表すステップにしたがって説明する。
なお、以下に説明する各実施例の各部の動作は、図示しないメモリや磁気ディスク等の記憶手段に格納されたプログラム（ソフトウェア）に基づいて図示しない中央処理装置等の制御手段により制御される。
【００２６】
Ｓ１ａ：自動取引装置１の図示しない近接センサで顧客の接近を検知すると制御部１７の指示により顧客操作表示部１１は取引選択画面を表示する。
この取引選択画面は、例えば図７（ａ）に示すように「取引を選択してください。」等の文言および「入金」、「出金」、「振込」、「通帳記入」、「取引制御登録」、「生体取引」等の取引選択ボタンで構成されたものである。
【００２７】
取引選択画面が表示されると顧客操作表示部１１はいずれかの取引選択ボタンが押下されることを待機し、顧客は「取引制御登録」ボタンを押下するものとする。
Ｓ２ａ：顧客操作表示部１１が「取引制御登録」の取引選択ボタンの押下を検知すると制御部１７の指示により顧客操作表示部１１は顧客にカードの挿入を促すカード挿入誘導画面を表示する。
【００２８】
カードリーダ部１２はカードの挿入を待機し、顧客はカード挿入誘導画面にしたがって所持しているカードをカードリーダ部１２のカード挿入排出口から挿入するものとする。
制御部１７の指示によりカードリーダ部１２は挿入されたカードの磁気ストライプやＩＣチップ等から口座番号等の口座情報を読み取る。
Ｓ３ａ：カードから口座情報を読み取ると暗証番号による本人認証を行うため、制御部１７の指示により顧客操作表示部１１は顧客の暗証番号の入力を受け付ける暗証番号入力画面を表示する。この暗証番号入力画面には「１」から「９」および「０」ボタン等で構成される操作ボタンを表示する。顧客操作表示部１１が暗証番号入力画面を表示すると顧客は表示された操作ボタンを押下して暗証番号を入力する。
【００２９】
顧客が暗証番号を入力すると制御部１７は通信回線２を介してその暗証番号をカードから読み取った口座情報等とともにホストコンピュータ７へ送信する。
ホストコンピュータ７は受信した顧客の口座番号等の口座情報に基づいて図示しない顧客データベースを検索して暗証番号を抽出し、その暗証番号と自動取引装置１から受信した暗証番号とを比較して一致するか否かの照合、すなわち、暗証番号による本人認証を行う。ホストコンピュータ７は通信部を介してその結果を自動取引装置１へ送信する。
【００３０】
Ｓ４ａ：自動取引装置１の制御部１７はホストコンピュータ７から受信した本人認証の結果を判定し、暗証番号による本人認証ができたと判定すると処理をＳ５ａへ移行し、本人認証ができなかったと判定すると処理をＳ３ａへ移行して再度暗証番号の入力を受け付ける。なお、本人認証ができなかったと判定した場合、処理をＳ１ａへ移行させるようにしてもよい。
【００３１】
Ｓ５ａ：暗証番号による本人認証ができたと判定されると制御部１７の指示により顧客操作表示部１１は読み取る生体情報を選択するための生体情報種類選択画面を表示する。
この生体情報種類選択画面は、例えば図７（ｂ）に示すように「生体情報の種類を選択してください。」等の文言および「指紋」、「指静脈」、「手のひら静脈」、「虹彩」、「声紋」、「署名」等の生体情報選択ボタンで構成されたものである。
【００３２】
生体情報選択画面が表示されると顧客操作表示部１１はいずれかの生体情報選択ボタンが押下されることを待機し、顧客は「指静脈」の生体情報選択ボタンを押下するものとする。
顧客操作表示部１１が「指静脈」の生体情報選択ボタンの押下を検知すると制御部１７の指示により顧客操作表示部１１は、例えば図７（ｃ）に示す「登録する手を選択してください。」等の文言および「左手」、「右手」等の選択ボタンで構成された画面を表示する。ここで、顧客は「右手」の選択ボタンを押下するものとする。
【００３３】
顧客操作表示部１１が「右手」の選択ボタンの押下を検知すると制御部１７の指示により顧客操作表示部１１は、例えば図７（ｄ）に示す「登録する指を選択してください。」等の文言および「親指」、「人差し指」、「中指」、「薬指」、「小指」等の選択ボタンで構成された画面を表示する。ここで、顧客は「人差し指」の選択ボタンを押下するものとする。
【００３４】
Ｓ６ａ：顧客操作表示部１１が「人差し指」の選択ボタンの押下を検知すると制御部１７の指示により顧客操作表示部１１は顧客に生体情報の入力を誘導する生体情報入力指示画面を表示する。顧客は生体情報入力指示画面にしたがって選択した右手の人差し指を生体情報取得部１４にかざすものとする。
制御部１７の指示により生体情報取得部１４は手指スキャンセンサで顧客の右手人差し指静脈の生体情報を取得して生体識別情報とともにその生体情報を制御部１７へ通知し、制御部１７は通知された生体情報および生体識別情報を記憶部１６に記憶させる。
【００３５】
Ｓ７ａ：生体情報識別情報および生体識別情報を記憶部１６に記憶させると制御部１７の指示により顧客操作表示部１１は取引可能科目／種類選択画面を表示する。
この取引可能科目／種類選択画面は、例えば図７（ｅ）に示すように「取引を可能とする科目／種類を選択してください。」等の文言および「預金取引」、「ローン取引」、「振込み取引」、「通帳記入」等の取引種類選択ボタンおよび預金取引の取引科目を示す「預け入れ」、「引き出し」、「残高照会」、ローン取引の取引科目を示す「借り入れ」、「返済」、振込み取引の取引科目を示す「口座振込」、「現金振込」等の取引科目表示で構成されたものである。
【００３６】
取引可能科目／種類選択画面が表示されると顧客操作表示部１１はいずれかの取引種類選択ボタンが押下されることを待機し、顧客は「預金取引」の取引種類選択ボタンを押下するものとする。なお、取引科目表示を取引科目選択ボタンとして取引科目を選択できるようにしてもよい。
Ｓ８ａ：顧客操作表示部１１が「預金取引」の取引種類選択ボタンの押下を検知すると制御部１７の指示により顧客操作表示部１１は取引制御内容確認画面を表示する。
【００３７】
この取引制御内容確認画面は、例えば図７（ｆ）に示すように「取引制御の内容を確認してください。生体情報種類  指静脈：右手人差し指  取引可能科目／種類  預金取引」等の顧客が入力した内容を示す文言および入力した内容が正しいことを確認するための「確認」ボタンならびに入力した内容に誤りがあり再入力するための「取消」ボタンで構成されたものである。ここで、顧客は「確認」ボタンを押下するものとする。
【００３８】
顧客操作表示部１１が「確認」ボタンの押下を検知すると取引情報登録手段としての制御部１７はカードリーダ部１２がカードから読み取った口座情報、および生体情報読取部１４で読み取った生体情報ならびに生体識別情報を記憶部１６から読み出し、認証サーバ３へ送信する。
認証サーバ３は、受信した口座情報を顧客ＩＤ、生体識別情報を生体情報ＩＤとし、その顧客ＩＤに関連付けて生体情報ＩＤ、その生体情報ＩＤが示す生体種類、受信した生体情報を認証ＤＢ４に格納して登録する。
【００３９】
また、取引情報登録手段としての制御部１７は、顧客操作表示部１１で入力された取引可能科目／種類である取引種類を示す情報、および口座情報ならびに生体識別情報を記憶部１６から読み出し、取引制御サーバ５へ送信する。
取引制御サーバ５は、受信した口座情報を顧客ＩＤ、生体識別情報を生体情報ＩＤとし、その顧客ＩＤに関連付けて生体情報ＩＤ、その生体情報ＩＤに関連付けて取引種類を示す情報を取引制御ＤＢ６に格納して登録する。
【００４０】
Ｓ９ａ：認証ＤＢ４および取引制御ＤＢ６に登録すると制御部１７の指示によりカードリーダ部１２は挿入されたカードを顧客に返却するともに明細票印字部１５は取引内容を印字した明細票を顧客に発行して取引種類を登録する処理を終了する。
次に、顧客の操作により行う取引の処理を図６の第１の実施例における取引処理を示すフローチャートの図中Ｓで表すステップにしたがって説明する。
【００４１】
Ｓ１ｂ：自動取引装置１の図示しない近接センサで顧客の接近を検知すると制御部１７の指示により顧客操作表示部１１は取引選択画面を表示する。
この取引選択画面は、例えば図７（ａ）に示すように「取引を選択してください。」等の文言および「入金」、「出金」、「振込」、「通帳記入」、「取引制御登録」、「生体取引」等の取引選択ボタンで構成されたものである。
【００４２】
取引選択画面が表示されると顧客操作表示部１１はいずれかの取引選択ボタンが押下されることを待機し、顧客は「生体取引」ボタンを押下するものとする。
顧客操作表示部１１が「生体取引」の取引選択ボタンの押下を検知すると制御部１７の指示により顧客操作表示部１１は生体情報種類選択画面を表示する。
この生体情報種類選択画面は、例えば図７（ｂ）に示すように「生体情報の種類を選択してください。」等の文言および「指紋」、「指静脈」、「手のひら静脈」、「虹彩」、「声紋」、「署名」等の生体情報選択ボタンで構成されたものである。
【００４３】
生体情報選択画面が表示されると顧客操作表示部１１はいずれかの生体情報選択ボタンが押下されることを待機し、顧客は「指静脈」の生体情報選択ボタンを押下するものとする。
顧客操作表示部１１が「指静脈」の生体情報選択ボタンの押下を検知すると制御部１７の指示により顧客操作表示部１１は、例えば図７（ｃ）に示す「登録する手を選択してください。」等の文言および「左手」、「右手」等の選択ボタンで構成された画面を表示する。ここで、顧客は「右手」の選択ボタンを押下するものとする。
【００４４】
顧客操作表示部１１が「右手」の選択ボタンの押下を検知すると制御部１７の指示により顧客操作表示部１１は、例えば図７（ｄ）に示す「登録する指を選択してください。」等の文言および「親指」、「人差し指」、「中指」、「薬指」、「小指」等の選択ボタンで構成された画面を表示する。ここで、顧客は「人差し指」の選択ボタンを押下するものとする。
【００４５】
Ｓ２ｂ：顧客操作表示部１１が「人差し指」の選択ボタンの押下を検知すると制御部１７の指示により顧客操作表示部１１は顧客に生体情報の入力を誘導する生体情報入力指示画面を表示する。顧客は生体情報入力指示画面にしたがって右手の人差し指を生体情報取得部１４にかざすものとする。
制御部１７の指示により生体情報取得部１４は手指スキャンセンサで顧客の右手人差し指静脈の生体情報を取得して生体識別情報とともにその生体情報を制御部１７へ通知し、制御部１７は通知された生体情報および生体識別情報を記憶部１６に記憶させる。
【００４６】
Ｓ３ｂ：顧客の生体情報を取得すると暗証番号による本人認証を行うため、制御部１７の指示により顧客操作表示部１１は顧客の暗証番号の入力を受け付ける暗証番号入力画面を表示する。この暗証番号入力画面には「１」から「９」および「０」ボタン等で構成される操作ボタンを表示する。顧客操作表示部１１が暗証番号入力画面を表示すると顧客は表示された操作ボタンを押下して暗証番号を入力する。
【００４７】
顧客が暗証番号を入力すると制御部１７は通信回線２を介してその暗証番号を読み取った顧客の生体情報とともに認証サーバ３へ送信する。
認証サーバ３は受信した顧客の生体情報に基づいて生体情報ＤＢ４を検索して当該顧客の顧客ＩＤおよび生体情報ＩＤを抽出し、その顧客ＩＤとともに受信した暗証番号をホストコンピュータ７へ送信して本人認証を依頼する。
【００４８】
ホストコンピュータ７は受信した顧客ＩＤとしての口座情報に基づいて図示しない顧客データベースを検索して暗証番号を抽出し、その暗証番号と自動取引装置１から受信した暗証番号とを比較して一致するか否かの照合、すなわち、暗証番号による本人認証を行う。ホストコンピュータ７は通信部を介してその結果を認証サーバ３および自動取引装置１へ送信する。
【００４９】
本人認証ができた旨の通知を受信した認証サーバ３は生体情報ＤＢ４を検索して抽出した顧客ＩＤおよび生体情報ＩＤを取引制御サーバ５へ送信する。
取引制御サーバ５は受信した顧客ＩＤおよび生体情報ＩＤに基づいて取引制御ＤＢ６を検索して取引種類、本実施例の場合「預金取引」を抽出し、その取引種類を自動取引装置１へ送信する。なお、顧客ＩＤおよび生体情報ＩＤに関連付けて取引種類が登録されていない場合はその旨を自動取引装置１へ送信する。
【００５０】
Ｓ４ｂ：一方、自動取引装置１の制御部１７はホストコンピュータ７から受信した本人認証の結果を判定し、暗証番号による本人認証ができたと判定すると処理をＳ５ｂへ移行し、本人認証ができなかったと判定すると処理をＳ３ｂへ移行して再度暗証番号の入力を受け付ける。なお、本人認証ができなかったと判定したとき処理をＳ１ｂまたはＳ２ｂへ移行させるようにしてもよい。
【００５１】
Ｓ５ｂ：暗証番号による本人認証ができたと判定されると制御部１７は取引制御サーバ５から受信した取引種類の登録の有無を判定する。登録されている取引種類が有ると判定すると処理をＳ６ｂへ移行し、無いと判定すると処理をＳ８ｂへ移行する。
Ｓ６ｂ：登録されている取引種類が有ると判定すると制御部１７は、さらにその取引種類が単一の取引科目で構成されているか否かを判定する。なお、記憶部１６は予めそれぞれの取引種類を構成する取引科目を記憶しているものとする。
【００５２】
単一の取引科目で構成された取引種類であると判定されると処理をＳ１０ｂへ移行し、複数の取引科目で構成された取引種類であると判定されると処理をＳ７ｂへ移行する。
Ｓ７ｂ：複数の取引科目で構成された取引種類であると判定されると制御部１７は取引制御サーバ５から受信した取引種類にしたがってその取引種類を構成する取引科目を選択するための取引選択画面の画面情報を生成する。
【００５３】
Ｓ８ｂ：制御部１７の指示により顧客操作表示部１１は生成された画面情報にしたがって取引画面としての取引選択画面を表示する。例えば、取引制御サーバ５から受信した取引種類が「預金取引」の場合、「取引を選択してください。」等の文言および取引種類に関連付けられた「預け入れ」、「引き出し」、「残高照会」のみの取引選択ボタンで構成されたものである。
【００５４】
なお、Ｓ５ｂにおいて取引種類が無いと判定された場合、通常の取引選択画面、例えば図７（ａ）に示すように「取引を選択してください。」等の文言および「入金」、「出金」、「振込」、「通帳記入」、「取引制御登録」、「生体取引」等の取引選択ボタンで構成された取引選択画面を表示するものとする。
Ｓ９ｂ：顧客は所望の取引を実行させるため、表示された取引選択画面の取引選択ボタンを押下するものとする。
【００５５】
Ｓ１０ｂ：制御部１７は選択された取引を実行する。なお、選択された取引の処理は通常の取引の処理と同様なのでその説明を省略する。
このようにして指の静脈・虹彩・署名等の複数の生体情報から顧客の操作により選択されたそれぞれの生体情報に顧客が行う取引種類を取引情報として予め登録するようにしたことにより、その生体情報を読取らせることで顧客が希望する取引種類を容易に選択することができ、顧客の操作負担を軽減させることができるようになる。
【００５６】
特に、顧客は怪我しやすい親指や人差し指等の生体情報を避けて取引種類を登録することができるようになる。
さらに、キャッシュカードを使用することなく取引を行うことができるようになる。
なお、本実施例では、生体情報ＤＢ４に登録したひとつの生体情報で顧客を特定するようにしたが、複数の生体情報を組み合わせて顧客を特定するようにして安全性を高めるようにしてもよい。
【００５７】
また、顧客が複数の口座を所有している場合、読み取った生体情報から顧客が所有する口座情報（顧客ＩＤ）を抽出し、口座一覧としての図７（ｇ）に示す口座選択画面をＳ３ｂの暗証番号を入力する前に表示し、取引に使用する口座を顧客に選択させて取引を行うようにしてもよい。
以上説明したように、第１の実施例では、指の静脈・虹彩・署名等の複数の生体情報に顧客が行う取引種類を予め登録するようにしたことにより、自動取引装置で取扱うことができる取引の科目が増えた場合であっても所望の取引を行うことができるようになり、また顧客の入力操作の負担を軽減することができるようになり、顧客の利便性を向上させることができるという効果が得られる。
【００５８】
また、指の静脈・虹彩・署名等の複数の生体情報から顧客の操作により選択されたそれぞれの生体情報に顧客が行う取引種類を予め登録するようにしたことにより、顧客は怪我しやすい親指や人差し指等の生体情報を避けて取引種類を登録し、所望の取引を行うことができるという効果が得られる。
さらに、顧客は自己の好みや利便性に合わせて取引種類を登録することができるため、顧客の入力操作の負担を軽減することができるようになり、顧客の利便性を向上させることができるという効果が得られる。
【００５９】
またさらに、キャッシュカードを使用することなく取引を行うことができるという効果が得られる。
【実施例２】
【００６０】
第２の実施例の構成は第１の実施例の構成と取引制御ＤＢ６の構成が異なるのでその異なる部分を以下に説明する。なお、第１の実施例と同様の部分は、同一の符号を付してその説明を省略する。
第２の実施例の取引制御ＤＢ６は、顧客を識別するための顧客識別情報（例えば、口座情報）としての顧客ＩＤ、その顧客ＩＤに対応付けた生体情報識別情報としての生体情報ＩＤ、その生体情報ＩＤに対応させて予め記憶させて登録しておく取引を進めるために必要な情報である取引情報としての取引種類を示す情報および振込先情報を識別するための振込先情報ＩＤで構成されたものである。
【００６１】
また、取引制御ＤＢ６は、顧客ＩＤおよび振込先情報ＩＤに対応させて振込先情報である振込先の金融機関、口座番号、口座種類、振込金額を記憶させて登録することができるようになっている。この振込先情報は顧客が自動取引装置１で行う振込取引において入力が必要な情報である。
この取引制御ＤＢ６は、例えば図８（ａ）に示すように顧客ＩＤ「１２３４５６７８９」の生体情報ＩＤ「１」に取引種類「預金取引」、生体情報ＩＤ「２」に取引種類「振込取引」および振込先情報ＩＤ「１」が記憶されている。なお、生体情報ＩＤ「１」に振込先情報ＩＤ、生体情報ＩＤ「３」に取引種類および振込先情報ＩＤは登録されていないことを示している。
【００６２】
また、取引制御ＤＢ６は、例えば図８（ｂ）に示すように顧客ＩＤ「１２３４５６７８９」の振込先情報ＩＤ「１」に振込先の金融機関「ＡＡＡ銀行」、口座番号「９８７−６５４−３２１」、口座種類「普通」、振込金額「６７０００（円）」が記憶されている。
したがって、取引制御サーバ５は顧客ＩＤおよび生体情報ＩＤに基づいて取引制御ＤＢ６を検索して登録された取引種類、および振込先の金融機関、口座番号、口座種類、振込金額からなる振込先情報を抽出することができるようになっている。
【００６３】
第２の実施例では、顧客が右手人差し指の静脈の生体情報に取引種類としての「振込取引」を登録し、自動取引装置１で「振込取引」の「口座振込」等の取引を行うものとして上述した構成の作用について説明する。
まず、取引種類を登録する処理を図９の第２の実施例における取引種類の登録処理を示すフローチャートの図中Ｓで表すステップにしたがって説明する。
【００６４】
Ｓ１ｃ〜Ｓ６ｃ：図５におけるＳ１ａ〜Ｓ６ａと同様なのでその説明を省略する。
Ｓ７ｃ：生体情報識別情報および生体識別情報を記憶部１６に記憶させると制御部１７の指示により顧客操作表示部１１は取引可能科目／種類選択画面を表示する。
この取引可能科目／種類選択画面は、例えば図７（ｅ）に示すように「取引を可能とする科目／種類を選択してください。」等の文言および「預金取引」、「ローン取引」、「振込み取引」、「通帳記入」等の取引種類選択ボタンおよび預金取引の取引科目を示す「預け入れ」、「引き出し」、「残高照会」、ローン取引の取引科目を示す「借り入れ」、「返済」、振込み取引の取引科目を示す「口座振込」、「現金振込」等の取引科目表示で構成されたものである。
【００６５】
取引可能科目／種類選択画面が表示されると顧客操作表示部１１はいずれかの取引種類選択ボタンが押下されることを待機し、顧客は「振込取引」の取引種類選択ボタンを押下するものとする。なお、取引科目表示を取引科目選択ボタンとして取引科目を選択できるようにしてもよい。
Ｓ８ｃ：顧客操作表示部１１が取引種類選択ボタンの押下を検知すると制御部１７は押下された取引種類選択ボタンが「振込取引」であるか否かを判定する。「振込取引」であると判定されると処理をＳ９ｃへ移行し、「振込取引」でないと判定されると処理をＳ１１ｃへ移行する。
【００６６】
Ｓ９ｃ：「振込取引」であると判定されると制御部１７の指示により顧客操作表示部１１は振込先情報を登録するか否かを選択するための「登録する」ボタンおよび「登録しない」ボタン等で構成された振込先情報登録選択画面を表示する。
顧客操作表示部１１が振込先情報を登録するか否かを選択するためのボタンの押下を検知すると制御部１７は押下されたボタンが「登録する」であるか否かを判定する。「登録する」であると判定されると処理をＳ１０ｃへ移行し、「登録しない」であると判定されると処理をＳ１１ｃへ移行する。
【００６７】
Ｓ１０ｃ：押下されたボタンが「登録する」であると判定されると制御部１７の指示により顧客操作表示部１１は振込先情報を入力するための振込先情報入力画面を表示する。
顧客は表示された振込先情報入力画面にしたがって振込先の金融機関、口座番号、口座種類、振込金額からなる振込先情報を入力するものとする。
Ｓ１１ｃ：顧客操作表示部１１が顧客の操作により振込先情報の入力を受け付けると制御部１７の指示により顧客操作表示部１１は取引制御内容確認画面を表示する。
【００６８】
この取引制御内容確認画面は、例えば図７（ｆ）に示すように「取引制御の内容を確認してください。生体情報種類  指静脈：右手人差し指  取引可能科目／種類  預金取引」等の顧客が入力した内容を示す文言および入力した内容が正しいことを確認するための「確認」ボタンならびに入力した内容に誤りがあり再入力するための「取消」ボタンで構成されたものである。ここで、顧客は「確認」ボタンを押下するものとする。
【００６９】
顧客操作表示部１１が「確認」ボタンの押下を検知すると取引情報登録手段としての制御部１７はカードリーダ部１２がカードから読み取った口座情報、および生体情報読取部１４で読み取った生体情報ならびに生体識別情報を記憶部１６から読み出し、認証サーバ３へ送信する。
認証サーバ３は、受信した口座情報を顧客ＩＤ、生体識別情報を生体情報ＩＤとし、その顧客ＩＤに関連付けて生体情報ＩＤ、その生体情報ＩＤが示す生体種類、受信した生体情報を認証ＤＢ４に格納して登録する。
【００７０】
また、取引情報登録手段としての制御部１７は、顧客操作表示部１１で入力された取引可能科目／種類である取引種類を示す情報、および口座情報ならびに生体識別情報、振込先情報が入力された場合にはその振込先情報を記憶部１６から読み出し、取引制御サーバ５へ送信する。
取引制御サーバ５は、受信した口座情報を顧客ＩＤ、生体識別情報を生体情報ＩＤとし、その顧客ＩＤに関連付けて生体情報ＩＤ、その生体情報ＩＤに関連付けて取引種類を示す情報、および振込先情報（振込先の金融機関、口座番号、口座種類、振込金額）を取引制御ＤＢ６に格納して登録する。
【００７１】
Ｓ１２ｃ：図５におけるＳ９ａと同様なのでその説明を省略する。
次に、顧客の操作により行う取引の処理を図１０の第２の実施例における取引処理を示すフローチャートの図中Ｓで表すステップにしたがって説明する。
Ｓ１ｄ〜Ｓ９ｄ：図６におけるＳ１ｂ〜Ｓ９ｂと同様なのでその説明を省略するが、Ｓ３ｄにおいて、取引制御サーバ５は受信した顧客ＩＤおよび生体情報ＩＤに基づいて取引制御ＤＢ６を検索して取引種類、本実施例の場合「振込取引」、および振込先情報を抽出し、その取引種類および振込先情報を自動取引装置１へ送信するものとする。なお、顧客ＩＤおよび生体情報ＩＤに関連付けて取引種類または振込先情報が登録されていない場合はその旨を自動取引装置１へ送信する。
【００７２】
Ｓ１０ｄ：制御部１７は実行する取引が振込取引であるか否かを判定する。振込取引であると判定されると処理をＳ１１ｄへ移行し、振込取引でないと判定されると処理をＳ１３ｄへ移行する。
Ｓ１１ｄ：振込取引であると判定されると制御部１７の指示により顧客操作表示部１１は登録された振込先情報を利用するか否かを選択するための振込先情報利用選択画面（取引画面）を表示する。
【００７３】
この振込先情報利用選択画面は、図１１に示すように「登録された振込先情報を使用しますか  登録内容  金融機関名  ＡＡＡ銀行  口座番号  ９８７−６５４−３２１  口座種類  普通  振込金額  ６７０００」等の取引制御ＤＢ６に登録された振込先情報（上述したＳ３ｄにおいて取引制御サーバ５から受信した振込先情報）を示す文言、およびその振込先情報を利用するか否かを選択するための「使用する」ボタンおよび「（使用）しない」ボタン等で構成されたものである。
【００７４】
顧客操作表示部１１が振込先情報を利用するか否かを選択するためのボタンの押下を検知すると制御部１７は押下されたボタンが「使用する」であるか否かを判定する。「使用する」であると判定されると処理をＳ１３ｄへ移行し、「（使用）しない」であると判定されると処理をＳ１２ｄへ移行する。
Ｓ１２ｄ：「（使用）しない」であると判定されると制御部１７の指示により顧客操作表示部１１は振込先情報を入力するための画面を表示し、顧客の操作により振込先の金融機関、口座番号、口座種類、振込金額等の振込先情報の入力を受け付ける。
【００７５】
Ｓ１３ｄ：以降、制御部１７は選択された振込取引等の取引を実行する。なお、選択された取引の処理は通常の取引の処理と同様なのでその説明を省略する。
このようにして予め生体情報に関連付けて登録した振込先情報を利用した振込取引を行うことができるようになる。
以上説明したように、第２の実施例では、第１の実施例の効果に加え、予め生体情報に関連付けて登録した振込先情報等の入力情報を利用することにより、振込取引等の入力操作が複雑な取引を容易に行うことができるという効果が得られる。
【実施例３】
【００７６】
第３の実施例の構成は、第１の実施例の構成と同様なので同一の符号を付してその説明を省略する。
本実施例では、自動取引装置１でカードを利用した「預金取引」の「預け入れ」等の取引を行うものとして説明する。
なお、取引種類を登録する処理は、図５の第１の実施例における取引種類の登録処理を示すフローチャートと同様の処理なのでその説明を省略する。
【００７７】
顧客の操作により行う取引の処理を図１２の第３の実施例における取引処理を示すフローチャートの図中Ｓで表すステップにしたがって説明する。
Ｓ１ｅ：自動取引装置１の図示しない近接センサで顧客の接近を検知すると制御部１７の指示により顧客操作表示部１１は取引選択画面を表示する。
この取引選択画面は、例えば図７（ａ）に示すように「取引を選択してください。」等の文言および「入金」、「出金」、「振込」、「通帳記入」、「取引制御登録」、「生体取引」等の取引選択ボタンで構成されたものである。
【００７８】
取引選択画面が表示されると顧客操作表示部１１はいずれかの取引選択ボタンが押下されることを待機し、顧客は「生体取引」ボタンを押下するものとする。
顧客操作表示部１１が「生体取引」の取引選択ボタンの押下を検知すると制御部１７の指示により顧客操作表示部１１は顧客にカードの挿入を促すカード挿入誘導画面を表示する。
【００７９】
カードリーダ部１２はカードの挿入を待機し、顧客はカード挿入誘導画面にしたがって所持しているカードをカードリーダ部１２のカード挿入排出口から挿入するものとする。
制御部１７の指示によりカードリーダ部１２は挿入されたカードの磁気ストライプやＩＣチップ等から口座番号等の口座情報を読み取る。
Ｓ２ｅ：カードから口座情報を読み取ると制御部１７の指示により顧客操作表示部１１は生体情報種類選択画面を表示する。
【００８０】
この生体情報種類選択画面は、例えば図７（ｂ）に示すように「生体情報の種類を選択してください。」等の文言および「指紋」、「指静脈」、「手のひら静脈」、「虹彩」、「声紋」、「署名」等の生体情報選択ボタンで構成されたものである。
生体情報選択画面が表示されると顧客操作表示部１１はいずれかの生体情報選択ボタンが押下されることを待機し、顧客は「指静脈」の生体情報選択ボタンを押下するものとする。
【００８１】
顧客操作表示部１１が「指静脈」の生体情報選択ボタンの押下を検知すると制御部１７の指示により顧客操作表示部１１は、例えば図７（ｃ）に示す「登録する手を選択してください。」等の文言および「左手」、「右手」等の選択ボタンで構成された画面を表示する。ここで、顧客は「右手」の選択ボタンを押下するものとする。
顧客操作表示部１１が「右手」の選択ボタンの押下を検知すると制御部１７の指示により顧客操作表示部１１は、例えば図７（ｄ）に示す「登録する指を選択してください。」等の文言および「親指」、「人差し指」、「中指」、「薬指」、「小指」等の選択ボタンで構成された画面を表示する。ここで、顧客は「人差し指」の選択ボタンを押下するものとする。
【００８２】
Ｓ３ｅ：図６におけるＳ２ｂと同様なのでその説明を省略する。
Ｓ４ｅ：顧客の生体情報を取得すると暗証番号による本人認証を行うため、制御部１７の指示により顧客操作表示部１１は顧客の暗証番号の入力を受け付ける暗証番号入力画面を表示する。この暗証番号入力画面には「１」から「９」および「０」ボタン等で構成される操作ボタンを表示する。顧客操作表示部１１が暗証番号入力画面を表示すると顧客は表示された操作ボタンを押下して暗証番号を入力する。
【００８３】
顧客が暗証番号を入力すると制御部１７は通信回線２を介してその暗証番号をカードから読取った口座情報（顧客ＩＤ）とともにホストコンピュータ７へ送信して本人認証を依頼する。
ホストコンピュータ７は受信した顧客ＩＤとしての口座情報に基づいて図示しない顧客データベースを検索して暗証番号を抽出し、その暗証番号と自動取引装置１から受信した暗証番号とを比較して一致するか否かの照合、すなわち、暗証番号による本人認証を行う。ホストコンピュータ７は通信部を介してその結果を自動取引装置１へ送信する。
【００８４】
本人認証ができた旨の通知を受信した自動取引装置１の制御部１７は読み取った顧客の生体情報を認証サーバ３へ送信する。
認証サーバ３は受信した顧客の生体情報に基づいて生体情報ＤＢ４を検索して当該顧客の顧客ＩＤおよび生体情報ＩＤを抽出し、その顧客ＩＤおよび生体情報ＩＤを取引制御サーバ５へ送信する。
【００８５】
取引制御サーバ５は受信した顧客ＩＤおよび生体情報ＩＤに基づいて取引制御ＤＢ６を検索して取引種類、本実施例の場合「預金取引」を抽出し、その取引種類を自動取引装置１へ送信する。なお、顧客ＩＤおよび生体情報ＩＤに関連付けて取引種類が登録されていない場合はその旨を自動取引装置１へ送信する。
Ｓ５ｅ〜Ｓ１１ｅ：図６におけるＳ４ｂ〜Ｓ１０ｂと同様なのでその説明を省略する。
【００８６】
以上説明したように、第３の実施例では、指の静脈・虹彩・署名等の複数の生体情報に顧客が行う取引種類を予め登録するようにしたことにより、自動取引装置で取扱うことができる取引の科目が増えた場合であっても所望の取引を行うことができるようになり、また顧客の入力操作の負担を軽減することができるようになり、顧客の利便性を向上させることができるという効果が得られる。
【００８７】
また、指の静脈・虹彩・署名等の複数の生体情報から顧客の操作により選択されたそれぞれの生体情報に顧客が行う取引種類を予め登録するようにしたことにより、顧客は怪我しやすい親指や人差し指等の生体情報を避けて取引種類を登録し、所望の取引を行うことができるという効果が得られる。
さらに、顧客は自己の好みや利便性に合わせて取引種類を登録することができるため、顧客の入力操作の負担を軽減することができるようになり、顧客の利便性を向上させることができるという効果が得られる。
【００８８】
またさらに、第１の実施例のように生体情報から顧客ＩＤを抽出する場合と比較して処理時間を短縮することができるという効果が得られる。
【図面の簡単な説明】
【００８９】
【図１】第１の実施例における自動取引システムの構成を示すブロック図
【図２】第１の実施例における自動取引装置の構成を示すブロック図
【図３】第１の実施例における取引種類の説明図
【図４】第１の実施例における生体情報ＤＢおよび取引制御ＤＢの構成を示す説明図
【図５】第１の実施例における取引種類の登録処理を示すフローチャート
【図６】第１の実施例における取引処理を示すフローチャート
【図７】第１の実施例における自動取引装置に表示される画面の説明図
【図８】第２の実施例における取引制御ＤＢの構成を示す説明図
【図９】第２の実施例における取引種類の登録処理を示すフローチャート
【図１０】第２の実施例における取引処理を示すフローチャート
【図１１】第２の実施例における自動取引装置に表示される画面の説明図
【図１２】第３の実施例における取引処理を示すフローチャート
【符号の説明】
【００９０】
１    自動取引装置
２    通信回線
３    認証サーバ
４    生体情報ＤＢ
５    取引制御サーバ
６    取引制御ＤＢ
７    ホストコンピュータ
１１  顧客操作表示部
１２  カードリーダ部
１３  入出金部
１４  生体情報読取部
１５  明細票印字部
１６  記憶部
１７  制御部
【図１】
0005217450.tif 000002
【図２】
0005217450.tif 000003
【図３】
0005217450.tif 000004
【図４】
0005217450.tif 000005
【図５】
0005217450.tif 000006
【図６】
0005217450.tif 000007
【図７】
0005217450.tif 000008
【図８】
0005217450.tif 000009
【図９】
0005217450.tif 000010
【図１０】
0005217450.tif 000011
【図１１】
0005217450.tif 000012
【図１２】
0005217450.tif 000013